(57)【要約】【課題】各ブログポータルサイトの運営管理にかかる処理負担の軽減を図ることができるサーバシステム及び運営管理方法並びに運営管理プログラムを提供すること。【解決手段】ネットワーク２を介してアクセスしてきた端末４ａ〜４ｎに対して、複数のウェブページについての一定の機能に関する運営管理を行う第１のウェブページ運営管理サーバ３１と、第１のウェブページ運営管理サーバ３１により運営管理されている複数のウェブページについての所定の機能に関する運営管理と、ネットワーク２を介してアクセスしてきた端末４ａ〜４ｎに対して、所定の登録作業を経てウェブページを作成支援し、当該作成支援により作成された複数のウェブページであって、第１のウェブページ運営管理サーバ３１により運営管理をされていないウェブページについてのすべての機能に関する運営管理を行う第２のウェブページ運営管理サーバ３２とにより構成されている。【選択図】図１
2009176252.tif 000002
【特許請求の範囲】
【請求項１】
ネットワークを介してサーバと複数の端末とが相互に接続されているサーバシステムにおいて、
前記サーバは、
複数のウェブページについての一定の機能に関する運営管理を行う第１のウェブページ運営管理サーバと、
前記第１のウェブページ運営管理サーバにより運営管理されている前記複数のウェブページについての所定の機能に関する運営管理と、前記ネットワークを介してアクセスしてきた端末に対して、所定の登録作業を経てウェブページを作成支援し、当該作成支援により作成された複数のウェブページであって、前記第１のウェブページ運営管理サーバにより運営管理をされていないウェブページについてのすべての機能に関する運営管理を行う第２のウェブページ運営管理サーバとにより構成されていることを特徴とするサーバシステム。
【請求項２】
前記第１のウェブページ運営管理サーバは、
自身に関連付けられている複数のウェブページを所定の分類法により整理してツリー構造化し、所定の表示態様になるように第１のトップページを作成する第１のトップページ作成手段と、
前記第１のトップページに所定の表示態様で表示されている前記複数のウェブページについての一定の機能に関する運営管理を行う第１の運営管理手段と、を有し、
前記第２のウェブページ運営管理サーバは、
前記ネットワークを介して前記端末によりアクセスしてきたユーザに対して、当該アクセスされたウェブページ運営管理サーバを示す識別情報に関連付けて所定のユーザ登録手続きを行う登録手続き手段と、
前記登録手続き手段により登録されたユーザに対してウェブページの作成支援を行うウェブページ作成支援手段と、
前記ウェブページ作成支援手段により作成されたウェブページを前記識別情報と関連付けて登録する登録手段と、
前記登録手段により登録されている複数の前記ウェブページを、当該ウェブページに関連付けられている前記識別情報を参照してウェブページ運営管理サーバごとに、所定の分類法により整理してツリー構造化し、所定の表示態様になるように第２のトップページを作成する第２のトップページ作成手段と、
前記第１の運営管理手段により運営管理されている前記複数のウェブページについての所定の機能に関する運営管理と、前記第２のトップページに所属する複数のウェブページであって、前記第１の運営管理手段により運営管理をされていないウェブページについてのすべての機能に関する運営管理を行う第２の運営管理手段と、を有することを特徴とする請求項１記載のサーバシステム。
【請求項３】
前記第２の運営管理手段は、前記所定の機能として、少なくとも、会員登録機能及び通報受付・画像検閲機能に関する運営管理を行うことを特徴とする請求項２記載のサーバシステム。
【請求項４】
前記第１のウェブページ運営管理サーバは、前記第１の運営管理手段により運営管理をしている前記複数のウェブページ上の第１の場所に当該第１のウェブページ運営管理サーバに特有の情報が表示されるように配信する第１の配信手段を有し、
前記第２のウェブページ運営管理サーバは、前記第２の運営管理手段により運営管理をしている前記複数のウェブページ上の第２の場所に当該第２のウェブページ運営管理サーバに特有の情報が表示されるように配信する第２の配信手段を有することを特徴とする請求項２記載のサーバシステム。
【請求項５】
前記サーバは、前記第１のウェブページ運営管理サーバと同一の機能を有するウェブページ運営管理サーバを複数有することを特徴とする請求項１記載のサーバシステム。
【請求項６】
前記第１のウェブページ運営管理サーバは、当該第１のウェブページ運営管理サーバとは異なるウェブページ運営管理サーバにより登録されているウェブページを所定の登録手続きにより前記第１のトップページに登録する第１のウェブページ登録手段を有し、
前記第２のウェブページ運営管理サーバは、当該第２のウェブページ運営管理サーバとは異なるウェブページ運営管理サーバにより登録されているウェブページを所定の登録手続きにより前記第２のトップページに登録する第２のウェブページ登録手段を有することを特徴とする請求項２記載のサーバシステム。
【請求項７】
ネットワークを介してサーバと複数の端末とが相互に接続されているサーバシステムの運営管理方法において、
複数のウェブページについての一定の機能に関する運営管理を行う第１のウェブページ運営管理工程と、
前記第１のウェブページ運営管理工程により運営管理されている前記複数のウェブページについての所定の機能に関する運営管理と、前記ネットワークを介してアクセスしてきた端末に対して、所定の登録作業を経てウェブページを作成支援し、当該作成支援により作成された複数のウェブページであって、前記第１のウェブページ運営管理工程により運営管理をされていないウェブページについてのすべての機能に関する運営管理を行う第２のウェブページ運営管理工程とを有することを特徴とする運営管理方法。
【請求項８】
前記第１のウェブページ運営管理工程は、
自身に関連付けられている複数のウェブページを所定の分類法により整理してツリー構造化し、所定の表示態様になるように第１のトップページを作成する第１のトップページ作成工程と、
前記第１のトップページ作成工程により作成された前記第１のトップページに所定の表示態様で表示されている前記複数のウェブページについての一定の機能に関する運営管理を行う第１の運営管理工程と、を有し、
前記第２のウェブページ運営管理工程は、
前記ネットワークを介して前記端末によりアクセスしてきたユーザに対して、当該アクセスされたウェブページ運営管理サーバを示す識別情報に関連付けて所定のユーザ登録手続きを行う登録手続き工程と、
前記登録手続き工程により登録されたユーザに対してウェブページの作成支援を行うウェブページ作成支援工程と、
前記ウェブページ作成支援工程により作成されたウェブページを前記識別情報と関連付けて登録する登録工程と、
前記登録工程により登録されている複数の前記ウェブページを、当該ウェブページに関連付けられている前記識別情報を参照してウェブページ運営管理サーバごとに、所定の分類法により整理してツリー構造化し、所定の表示態様になるように第２のトップページを作成する第２のトップページ作成工程と、
前記第１の運営管理工程により運営管理されている前記複数のウェブページについての所定の機能に関する運営管理と、前記第２のトップページに所属する複数のウェブページであって、前記第１の運営管理工程により運営管理をされていないウェブページについてのすべての機能に関する運営管理を行う第２の運営管理工程と、を有することを特徴とする請求項７記載の運営管理方法。
【請求項９】
ネットワークを介してサーバと複数の端末とが相互に接続されているサーバシステムの運営管理をコンピュータによって実現するための運営管理プログラムにおいて、
複数のウェブページについての一定の機能に関する運営管理を行う第１のウェブページ運営管理工程と、
前記第１のウェブページ運営管理工程により運営管理されている前記複数のウェブページについての所定の機能に関する運営管理と、前記ネットワークを介してアクセスしてきた端末に対して、所定の登録作業を経てウェブページを作成支援し、当該作成支援により作成された複数のウェブページであって、前記第１のウェブページ運営管理工程により運営管理をされていないウェブページについてのすべての機能に関する運営管理を行う第２のウェブページ運営管理工程とをコンピュータによって実現するための運営管理プログラム。
【請求項１０】
前記第１のウェブページ運営管理工程は、
自身に関連付けられている複数のウェブページを所定の分類法により整理してツリー構造化し、所定の表示態様になるように第１のトップページを作成する第１のトップページ作成工程と、
前記第１のトップページ作成工程により作成された前記第１のトップページに所定の表示態様で表示されている前記複数のウェブページについての一定の機能に関する運営管理を行う第１の運営管理工程と、を有し、
前記第２のウェブページ運営管理工程は、
前記ネットワークを介して前記端末によりアクセスしてきたユーザに対して、当該アクセスされたウェブページ運営管理サーバを示す識別情報に関連付けて所定のユーザ登録手続きを行う登録手続き工程と、
前記登録手続き工程により登録されたユーザに対してウェブページの作成支援を行うウェブページ作成支援工程と、
前記ウェブページ作成支援工程により作成されたウェブページを前記識別情報と関連付けて登録する登録工程と、
前記登録工程により登録されている複数の前記ウェブページを、当該ウェブページに関連付けられている前記識別情報を参照してウェブページ運営管理サーバごとに、所定の分類法により整理してツリー構造化し、所定の表示態様になるように第２のトップページを作成する第２のトップページ作成工程と、
前記第１の運営管理工程により運営管理されている前記複数のウェブページについての所定の機能に関する運営管理と、前記第２のトップページに所属する複数のウェブページであって、前記第１の運営管理工程により運営管理をされていないウェブページについてのすべての機能に関する運営管理を行う第２の運営管理工程と、をコンピュータによって実現するための請求項９記載の運営管理プログラム。
【発明の詳細な説明】
【技術分野】
【０００１】
本発明は、ネットワークに接続されたサーバと複数の端末により構成されるサーバシステム及び当該サーバシステムを運営管理する運営管理方法並びに運営管理プログラムに関する。
【背景技術】
【０００２】
現在、ウェブページを作成するためのソフトウェアが普及しており、ユーザが自らウェブページを作成することが可能となってきている。しかし、このようなソフトウェアを用いても、基本的なＨＴＭＬ（ｈｙｐｅｒ  ｔｒａｎｓｆｅｒ  ｍａｒｋｕｐ  ｌａｎｇｕａｇｅ）等に関する知識等がないとウェブページを作成することは困難である。
【０００３】
そこで、近年では、ＣＭＳ（ｃｏｎｔｅｎｔｓ  ｍａｎａｇｅｍｅｎｔ  ｓｙｓｔｅｍ）により簡易にウェブページを作成支援する技術が提案されている。ここで、ＣＭＳとは、ウェブページを構成するテキストや画像、レイアウト情報等を一元的に保存・管理し、ウェブサイトを構築したり編集したりするソフトウェアのことである。
【０００４】
ここで、ウェブページを構築するには、テキストや画像を作成するだけでなく、ＨＴＭＬやＣＳＳ（ｃａｓｃａｄｉｎｇ  ｓｔｙｌｅ  ｓｈｅｅｔｓ）等を利用してレイアウトや装飾を行ない、ページ間にハイパーリンクを設定する等の作業も行なう必要がある。これらの要素を分離してデータベースに保存し、サイト構築をソフトウェア的に自動的に行なうようにしたものがＣＭＳである。
【０００５】
また、ブログ（個人や数人のグループで運営され、日々更新される日記的なウェブサイトの総称であり、日記風のサイトを指す言葉として「Ｗｅｂ」と「Ｌｏｇ」（日誌）を一語に綴った「ｗｅｂｌｏｇ」（ウェブログ）の略称である。）では、このＣＭＳが利用されている。
【０００６】
また、ブログは、インターネット上のブログポータルサイトから無料登録を行い作成支援により作成されるサービスが多く、その顧客ブログを無料提供し、広告媒体として利用する事業者と、当該事業者の顧客サービスの一環や、当該会社のマーケティングツールとして無料提供されるものがある。
【０００７】
ここで、ブログポータルサイトの利便性を向上する技術が種々提案されている（例えば、特許文献１を参照。）
【特許文献１】特開２００７−３３４８０３号公報
【発明の開示】
【発明が解決しようとする課題】
【０００８】
ところで、ブログポータルサイトを管理運営する事業者は、複数あり、ネットワーク上に複数のブログポータルサイトが存在する。例えば、あるブログポータルサイトにブログを有するユーザが、他のブログポータルサイトにも登録したい場合には、別途当該他のブログポータルサイトの登録手続きにしたがって、ユーザ登録を行い、新たなブログを持つ必要がある。
【０００９】
したがって、ユーザにとって、異なるブログポータルサイトに自身のブログを登録する手順が煩雑で、サービスの低下につながっている。
【００１０】
また、複数のブログポータルサイトでは、個々に会員登録の情報を管理したり、ブログの運営管理を行っており、当該運営管理をするための人材の確保等に多大なコストが生じている。
【００１１】
本発明は、上述のような課題に鑑みてなされたものであり、その目的の一つは、複数のブログポータルサイトに対して簡易に会員登録を行うことができ、また、各ブログポータルサイトの運営管理にかかる処理負担の軽減を図ることができるサーバシステム及び運営管理方法並びに運営管理プログラムを提供することにある。
【課題を解決するための手段】
【００１２】
本発明に係るサーバシステムは、上記課題を解決するために、ネットワークを介してサーバと複数の端末とが相互に接続されているサーバシステムにおいて、前記サーバは、複数のウェブページについての一定の機能に関する運営管理を行う第１のウェブページ運営管理サーバと、前記第１のウェブページ運営管理サーバにより運営管理されている前記複数のウェブページについての所定の機能に関する運営管理と、前記ネットワークを介してアクセスしてきた端末に対して、所定の登録作業を経てウェブページを作成支援し、当該作成支援により作成された複数のウェブページであって、前記第１のウェブページ運営管理サーバにより運営管理をされていないウェブページについてのすべての機能に関する運営管理を行う第２のウェブページ運営管理サーバとにより構成されていることを特徴とする。
【００１３】
また、上記サーバシステムでは、前記第１のウェブページ運営管理サーバは、自身に関連付けられている複数のウェブページを所定の分類法により整理してツリー構造化し、所定の表示態様になるように第１のトップページを作成する第１のトップページ作成手段と、前記第１のトップページに所定の表示態様で表示されている前記複数のウェブページについての一定の機能に関する運営管理を行う第１の運営管理手段と、を有し、前記第２のウェブページ運営管理サーバは、前記ネットワークを介して前記端末によりアクセスしてきたユーザに対して、当該アクセスされたウェブページ運営管理サーバを示す識別情報に関連付けて所定のユーザ登録手続きを行う登録手続き手段と、前記登録手続き手段により登録されたユーザに対してウェブページの作成支援を行うウェブページ作成支援手段と、前記ウェブページ作成支援手段により作成されたウェブページを前記識別情報と関連付けて登録する登録手段と、前記登録手段により登録されている複数の前記ウェブページを、当該ウェブページに関連付けられている前記識別情報を参照してウェブページ運営管理サーバごとに、所定の分類法により整理してツリー構造化し、所定の表示態様になるように第２のトップページを作成する第２のトップページ作成手段と、前記第１の運営管理手段により運営管理されている前記複数のウェブページについての所定の機能に関する運営管理と、前記第２のトップページに所属する複数のウェブページであって、前記第１の運営管理手段により運営管理をされていないウェブページについてのすべての機能に関する運営管理を行う第２の運営管理手段と、を有する構成であることが好ましい。
【００１４】
また、上記サーバシステムでは、前記第２の運営管理手段は、前記所定の機能として、少なくとも、会員登録機能及び通報受付・画像検閲機能に関する運営管理を行うことが好ましい。
【００１５】
また、上記サーバシステムでは、前記第１のウェブページ運営管理サーバは、前記第１の運営管理手段により運営管理をしている前記複数のウェブページ上の第１の場所に当該第１のウェブページ運営管理サーバに特有の情報が表示されるように配信する第１の配信手段を有し、前記第２のウェブページ運営管理サーバは、前記第２の運営管理手段により運営管理をしている前記複数のウェブページ上の第２の場所に当該第２のウェブページ運営管理サーバに特有の情報が表示されるように配信する第２の配信手段を有する構成であることが好ましい。
【００１６】
また、上記サーバシステムでは、前記サーバは、前記第１のウェブページ運営管理サーバと同一の機能を有するウェブページ運営管理サーバを複数有することが好ましい。
【００１７】
また、上記サーバシステムでは、前記第１のウェブページ運営管理サーバは、当該第１のウェブページ運営管理サーバとは異なるウェブページ運営管理サーバにより登録されているウェブページを所定の登録手続きにより前記第１のトップページに登録する第１のウェブページ登録手段を有し、前記第２のウェブページ運営管理サーバは、当該第２のウェブページ運営管理サーバとは異なるウェブページ運営管理サーバにより登録されているウェブページを所定の登録手続きにより前記第２のトップページに登録する第２のウェブページ登録手段を有することが好ましい。
【００１８】
本発明に係る運営管理方法は、上記課題を解決するために、ネットワークを介してサーバと複数の端末とが相互に接続されているサーバシステムの運営管理方法において、複数のウェブページについての一定の機能に関する運営管理を行う第１のウェブページ運営管理工程と、前記第１のウェブページ運営管理工程により運営管理されている前記複数のウェブページについての所定の機能に関する運営管理と、前記ネットワークを介してアクセスしてきた端末に対して、所定の登録作業を経てウェブページを作成支援し、当該作成支援により作成された複数のウェブページであって、前記第１のウェブページ運営管理工程により運営管理をされていないウェブページについてのすべての機能に関する運営管理を行う第２のウェブページ運営管理工程とを有することを特徴とする。
【００１９】
また、上記運営管理方法では、前記第１のウェブページ運営管理工程は、自身に関連付けられている複数のウェブページを所定の分類法により整理してツリー構造化し、所定の表示態様になるように第１のトップページを作成する第１のトップページ作成工程と、前記第１のトップページ作成工程により作成された前記第１のトップページに所定の表示態様で表示されている前記複数のウェブページについての一定の機能に関する運営管理を行う第１の運営管理工程と、を有し、前記第２のウェブページ運営管理工程は、前記ネットワークを介して前記端末によりアクセスしてきたユーザに対して、当該アクセスされたウェブページ運営管理サーバを示す識別情報に関連付けて所定のユーザ登録手続きを行う登録手続き工程と、前記登録手続き工程により登録されたユーザに対してウェブページの作成支援を行うウェブページ作成支援工程と、前記ウェブページ作成支援工程により作成されたウェブページを前記識別情報と関連付けて登録する登録工程と、前記登録工程により登録されている複数の前記ウェブページを、当該ウェブページに関連付けられている前記識別情報を参照してウェブページ運営管理サーバごとに、所定の分類法により整理してツリー構造化し、所定の表示態様になるように第２のトップページを作成する第２のトップページ作成工程と、前記第１の運営管理工程により運営管理されている前記複数のウェブページについての所定の機能に関する運営管理と、前記第２のトップページに所属する複数のウェブページであって、前記第１の運営管理工程により運営管理をされていないウェブページについてのすべての機能に関する運営管理を行う第２の運営管理工程と、を有することが好ましい。
【００２０】
また、本発明に係るコンピュータによって実現するための運営管理プログラムは、ネットワークを介してサーバと複数の端末とが相互に接続されているサーバシステムの運営管理をコンピュータによって実現するための運営管理プログラムにおいて、複数のウェブページについての一定の機能に関する運営管理を行う第１のウェブページ運営管理工程と、前記第１のウェブページ運営管理工程により運営管理されている前記複数のウェブページについての所定の機能に関する運営管理と、前記ネットワークを介してアクセスしてきた端末に対して、所定の登録作業を経てウェブページを作成支援し、当該作成支援により作成された複数のウェブページであって、前記第１のウェブページ運営管理工程により運営管理をされていないウェブページについてのすべての機能に関する運営管理を行う第２のウェブページ運営管理工程とをコンピュータによって実現するためのプログラムである。
【００２１】
また、上記運営管理プログラムは、前記第１のウェブページ運営管理工程は、自身に関連付けられている複数のウェブページを所定の分類法により整理してツリー構造化し、所定の表示態様になるように第１のトップページを作成する第１のトップページ作成工程と、前記第１のトップページ作成工程により作成された前記第１のトップページに所定の表示態様で表示されている前記複数のウェブページについての一定の機能に関する運営管理を行う第１の運営管理工程と、を有し、前記第２のウェブページ運営管理工程は、前記ネットワークを介して前記端末によりアクセスしてきたユーザに対して、当該アクセスされたウェブページ運営管理サーバを示す識別情報に関連付けて所定のユーザ登録手続きを行う登録手続き工程と、前記登録手続き工程により登録されたユーザに対してウェブページの作成支援を行うウェブページ作成支援工程と、前記ウェブページ作成支援工程により作成されたウェブページを前記識別情報と関連付けて登録する登録工程と、前記登録工程により登録されている複数の前記ウェブページを、当該ウェブページに関連付けられている前記識別情報を参照してウェブページ運営管理サーバごとに、所定の分類法により整理してツリー構造化し、所定の表示態様になるように第２のトップページを作成する第２のトップページ作成工程と、前記第１の運営管理工程により運営管理されている前記複数のウェブページについての所定の機能に関する運営管理と、前記第２のトップページに所属する複数のウェブページであって、前記第１の運営管理工程により運営管理をされていないウェブページについてのすべての機能に関する運営管理を行う第２の運営管理工程と、をコンピュータによって実現するためのプログラムである。
【発明の効果】
【００２２】
本発明によれば、複数のブログポータルサイトに対して簡易に会員登録を行うことができ、また、ブログポータルサイトの運営管理にかかる処理負担の軽減を図ることができる。
【発明を実施するための最良の形態】
【００２３】
以下、本発明の実施形態について説明する。本発明に係るサーバシステム１は、図１に示すように、ネットワーク２を介してサーバ３と複数の端末４ａ〜４ｎとが相互に接続されている。
【００２４】
サーバ３は、ネットワーク２を介してアクセスしてきた端末４ａ〜４ｎに対して、複数のウェブページについての一定の機能（例えば、自身のトップページの運営に関する機能、や、お知らせ掲示に関する機能等）に関する運営管理を行う第１のウェブページ運営管理サーバ３１と、第１のウェブページ運営管理サーバ３１により運営管理されている複数のウェブページについての所定の機能（例えば、会員登録機能や、記事の投稿内容の監査・検閲・通報の対応や、投稿される記事の禁止ワードの設定に関する機能）に関する運営管理と、ネットワーク２を介してアクセスしてきた端末４ａ〜４ｎに対して、所定の登録作業を経てウェブページを作成支援し、当該作成支援により作成された複数のウェブページであって、第１のウェブページ運営管理サーバ３１により運営管理をされていないウェブページについてのすべての機能に関する運営管理を行う第２のウェブページ運営管理サーバ３２とにより構成されている。
【００２５】
このようにして、第１のウェブページ運営管理サーバ３１と第２のウェブページ運営管理サーバ３２とは、ポータルサイトとしては、それぞれ並列的な関係にありながら、第１のウェブページ運営管理サーバ３１における所定の機能に関する運営管理について、第２のウェブページ運営管理サーバ３２が行う。したがって、第１のウェブページ運営管理サーバ３１による運営管理の負担を軽減することができる。
【００２６】
また、サーバ３においては、原則的に、第１のウェブページ運営管理サーバ３１と同一の機能を有するウェブページ運営管理サーバを複数個有している。また、本実施例においては、第１のウェブページ運営管理サーバ３１の集合をビレッジと呼ぶ。
【００２７】
また、サーバ３においては、原則的に、第２のウェブページ運営管理サーバ３２は、唯一のものとする。また、本実施例においては、第２のウェブページ運営管理サーバ３２をシティと呼ぶ。
【００２８】
また、本実施例においては、第１のウェブページ運営管理サーバ３１の集合であるビレッジと、第２のウェブページ運営管理サーバ３２であるシティにより構成されるサイトの全体をコミュニティサイトと呼ぶ。
【００２９】
つぎに、第１のウェブページ運営管理サーバ３１の構成について説明する。第１のウェブページ運営管理サーバ３１は、図２に示すように、自身に関連付けられている複数のウェブページを所定の分類法により整理してツリー構造化し、所定の表示態様になるように第１のトップページを作成する第１のトップページ作成部３１４（第１のトップページ作成手段）と、第１のトップページに所定の表示態様で表示されている複数のウェブページについての一定の機能に関する運営管理を行う第１の運営管理部３１５（第１の運営管理手段）と、により構成されている。
【００３０】
つぎに、第２のウェブページ運営管理サーバ３２の構成について説明する。第２のウェブページ運営管理サーバ３２は、図３に示すように、ネットワーク２を介して端末４ａ〜４ｎによりアクセスしてきたユーザに対して、当該アクセスされたウェブページ運営管理サーバを示す識別情報（タグ）に関連付けて所定のユーザ登録手続きを行う登録手続き部３２１（登録手続き手段）と、登録手続き部３２１により登録されたユーザに対してウェブページの作成支援を行うウェブページ作成支援部３２２（ウェブページ作成支援手段）と、ウェブページ作成支援部３２２により作成されたウェブページを当該識別情報と関連付けて登録する登録部３２３（登録手段）と、登録部３２３により登録されている複数のウェブページを、当該ウェブページに関連付けられている当該識別情報を参照してウェブページ運営管理サーバごとに、所定の分類法により整理してツリー構造化し、所定の表示態様になるように第２のトップページを作成する第２のトップページ作成部３２４（第２のトップページ作成手段）と、第１の運営管理部３１５により運営管理されている複数のウェブページについての所定の機能に関する運営管理と、第２のトップページに所属する複数のウェブページ、すなわち、コミュニティサイトに所属するすべてのウェブページであって、第１の運営管理部３１５により運営管理をされていないウェブページについてのすべての機能に関する運営管理を行う第２の運営管理部３２５と、により構成されている。
【００３１】
また、登録手続き部３２１は、登録したユーザに対して、固有のユーザＩＤとパスワードを付与する。また、登録手続き部３２１は、付与した固有のユーザＩＤにアクセスされたウェブページ運用管理サーバ（ビレッジ）を示す識別情報（タグ）を関連付けて、パスワードとともに登録データベースＡに登録作業を行う。
【００３２】
なお、この固有のユーザＩＤとパスワードは、ウェブページ作成支援部３２２により作成されたウェブページの記事の内容を更新したり、記事の投稿等を行う際に利用され、さらに、詳細は後述するが、他のウェブページ運営管理サーバ（ビレッジ）に登録する際にも利用されるものである。
【００３３】
＜メールマガジンの配信機能について＞
また、第１のウェブページ運営管理サーバ３１は、第１の運営管理部３１５により運営管理をしている複数のウェブページ上の第１の場所に当該第１のウェブページ運営管理サーバ３１に特有の情報が表示されるように配信する第１の配信部３１６（第１の配信手段）を有する。具体的には、第１の配信部３１６は、ウェブページ上の所定の場所（例えば、ウェブページ上の右上のスペース）に、各ビレッジに特有の情報をいわゆるメールマガジンとして定期的に配信する。
【００３４】
また、第２のウェブページ運営管理サーバ３２は、第２の運営管理部３２５により運営管理されている複数のウェブページ上、すなわち、コミュニティサイトに属するすべてのウェブページ上の第２の場所に当該第２のウェブページ運営管理サーバ３２に特有の情報が表示されるように配信する第２の配信部３２６（第２の配信手段）を有する。具体的には、第２の配信部３２６は、ウェブページ上の所定の場所（例えば、ウェブページ上の右下のスペース）に、例えば、シティや、コミュニティサイト全体に関する情報をいわゆるメールマガジンとして定期的に配信する。
【００３５】
このようにして、各ウェブページには、自身が所属するビレッジの情報と、シティやコミュニティサイト全体に関する情報が定期的に配信される。
【００３６】
＜他のビレッジへの簡易登録について＞
また、第１のウェブページ運営管理サーバ３１は、当該第１のウェブページ運営管理サーバ３１（自身）とは異なるウェブページ運営管理サーバにより登録されているウェブページを所定の登録手続きにより第１のトップページに登録する第１のウェブページ登録部３１７（第１のウェブページ登録手段）を有する。
【００３７】
また、第２のウェブページ運営管理サーバ３２は、当該第２のウェブページ運営管理サーバ３２（自身）とは異なるウェブページ運営管理サーバにより登録されているウェブページを所定の登録手続きにより第２のトップページに登録する第２のウェブページ登録部３２７（第２のウェブページ登録手段）を有する。
【００３８】
ここで、第１のトップページに他のビレッジ等において登録されているウェブページを登録する場合の手順について説明する。なお、第１のトップページの所定の位置にユーザＩＤとパスワードが入力される入力項目が配置されており、登録ボタンが配置されているものとする。
【００３９】
所定の手段によって第１のトップページを閲覧したユーザが、他のビレッジ又はシティにおいて登録されている自身のウェブページを当該第１のトップページに登録したいと考えたときに、登録手続き部３２１により付与されたユーザＩＤとパスワードを入力項目に入力し、登録ボタンを選択する。
【００４０】
第１のウェブページ登録部３１７は、登録ボタンの選択に応じて、入力されたユーザＩＤとパスワードに基づいて、登録データベースＡにアクセスし、認証作業（ユーザＩＤとパスワードが既登録のものと一致するか否かの認証）を行い、認証が行われたときに登録を完了する。また、第１のウェブページ登録部３１７は、認証が行われた際に、第１のウェブページ運営管理サーバ３１を示すタグを、認証を行った登録データベースＡに追加する。
【００４１】
したがって、登録データベースＡには、固有のユーザＩＤに対して、最初に登録が行われたウェブページ運営管理サーバ（ビレッジ又はシティ）のタグとともに、所定の登録手続きにより登録された他のビレッジ又はシティのタグが関連して登録されている。
【００４２】
なお、第２のトップページに他のビレッジ等において登録されているウェブページを登録する場合の手順についても上述と同様の方法により行われる。
【００４３】
＜運営管理の対象となる機能について＞
ここで、第１の運営管理部３１５及び第２の運営管理部３２５により運営管理される機能について説明する。
【００４４】
第２の運営管理部３２５は、各ウェブページ運営管理サーバ（各ビレッジ）により登録されている複数のウェブページについての所定の機能に関する運営管理として、少なくとも、１．会員登録機能、２．記事の投稿内容の監査・検閲・通報の対応や、投稿される記事の禁止ワードの設定に関する機能の運営管理を行う。
【００４５】
また、第２の運営管理部３２５は、上述の他に、３．投稿に使用する素材（絵文字）の保守・管理に関する機能、４．ウェブページに適用するスキンの保守・管理に関する機能、５．会員管理の機能、６．ポイント管理、景品管理、景品交換対応に関する機能、７．分類カテゴリの管理に関する機能、８．サイトデザインの保守に関する機能、９．システム保守に関する機能等の運営管理を行う。
【００４６】
また、第２の運営管理部３２５は、自身（登録部３２３）により登録されている複数のウェブページについては、包括的に上述した１．〜９．の全機能の運営管理を行う。
【００４７】
また、第１の運営管理部３１５及び第２の運営管理部３２５は、上述した会員登録に関する機能やメルマガの発行に関する機能の他、１０．自身のトップページの運営に関する機能、１１．お知らせ掲示に関する機能、１２．広告掲載に関する機能、１３．アクセス解析に関する機能の運営管理を行う。
【００４８】
なお、第１の運営管理部３１５と第２の運営管理部３２５がそれぞれ担う各機能の役割分担は、例示であって、これに限定されない。
【００４９】
＜運営管理方法の説明＞
つぎに、このようなサーバシステム１により複数のポータルサイトを運営管理する方法について図４及び図５に示すフローチャートを参照して説明する。
【００５０】
本発明に係る運営管理方法は、図４及び図５に示すように、複数のウェブページについての一定の機能に関する運営管理を行う第１のウェブページ運営管理工程Ｓ１と、第１のウェブページ運営管理工程Ｓ１による複数のウェブページについての所定の機能に関する運営管理と、ネットワーク２を介してアクセスしてきた端末４ａ〜４ｎに対して、所定の登録作業を経てウェブページを作成支援し、当該作成支援により作成された複数のウェブページについてのすべての機能に関する運営管理を行う第２のウェブページ運営管理工程Ｓ２とにより、複数のポータルサイトから構成される大規模コミュニティサイトの運営管理を行う。
【００５１】
ここで、第１のウェブページ運営管理工程Ｓ１には、図４に示すように、自身に関連付けられている複数のウェブページを所定の分類法により整理してツリー構造化し、所定の表示態様になるように第１のトップページを作成する第１のトップページ作成工程Ｓ１１と、第１のトップページ作成工程Ｓ１１により作成された第１のトップページに所定の表示態様で表示されている複数のウェブページについての一定の機能に関する運営管理を行う第１の運営管理工程Ｓ１２と、が含まれている。
【００５２】
また、第２のウェブページ運営管理工程Ｓ２には、図５に示すように、ネットワーク２を介して前記端末４ａ〜４ｎによりアクセスしてきたユーザに対して、所定の登録手続きを行う登録手続き工程Ｓ２１と、登録手続き工程Ｓ２１により登録されたユーザに対してウェブページの作成支援を行うウェブページ作成支援工程Ｓ２２と、ウェブページ作成支援工程Ｓ２２により作成されたウェブページを登録する登録工程Ｓ２３と、登録工程Ｓ２３により登録されている複数のウェブページを、当該ウェブページに関連付けられている識別情報を参照してウェブページ運営管理サーバごとに、所定の分類法により整理してツリー構造化し、所定の表示態様になるように第２のトップページを作成する第２のトップページ作成工程Ｓ２４と、第１の運営管理工程Ｓ１２により運営管理されている複数のウェブページについての所定の機能に関する運営管理と、第２のトップページに所属する複数のウェブページ、すなわち、コミュニティサイトに所属するすべてのウェブページであって、第１の運営管理工程Ｓ１２により運営管理をされていないウェブページについてのすべての機能に関する運営管理を行う第２の運営管理工程Ｓ２５と、が含まれている。
【００５３】
このようにして、本発明に係るサーバシステム１では、サーバ３は、自身に関連付けられている複数のウェブページについての一定の機能に関する運営管理を行う第１のウェブページ運営管理サーバ３１（ビレッジ）と、第１のウェブページ運営管理サーバ３１により運営管理されている複数のウェブページについての所定の機能に関する運営管理と、ネットワーク２を介してアクセスしてきた端末４ａ〜４ｎに対して、所定の登録作業を経てウェブページを作成支援し、当該作成支援により作成された複数のウェブページ、すなわち、コミュニティサイトに所属するすべてのウェブページであって、第１のウェブページ運営管理サーバ３１により運営管理をされていないウェブページについてのすべての機能に関する運営管理を行う第２のウェブページ運営管理サーバ３２（シティ）と、により構成されるので、各ビレッジにおける運営管理にかかる処理負担の軽減を図ることができる。
【００５４】
また、本発明に係るサーバシステム１では、第１のウェブページ運営管理サーバ３１は、当該第１のウェブページ運営管理サーバ３１（自身）とは異なるウェブページ運営管理サーバにより登録されているウェブページを所定の登録手続きにより第１のトップページに登録する第１のウェブページ登録部３１７を有し、また、第２のウェブページ運営管理サーバ３２は、当該第２のウェブページ運営管理サーバ３２（自身）とは異なるウェブページ運営管理サーバにより登録されているウェブページを所定の登録手続きにより第２のトップページに登録する第２のウェブページ登録部３２７を有するので、一のポータルサイトにウェブページを有するユーザが簡易に複数のポータルサイトに自身のウェブページを登録することができる。
【００５５】
したがって、一般のユーザは、同一のウェブページについて、複数のポータルサイトから閲覧することが可能となる。
【００５６】
また、本発明に係るサーバシステム１では、登録データベースＡが一元管理されているので、複数のポータルサイトにまたがって登録されているユーザに関する情報管理を、第２のウェブページ運営管理サーバ３２（シティ）において一括して行うことができる。
【図面の簡単な説明】
【００５７】
【図１】本発明に係るサーバシステムの全体構成を示すブロック図である。
【図２】本発明に係るサーバシステムを構成する第１のウェブページ運営管理サーバの構成を模式的に示すブロック図である。
【図３】本発明に係るサーバシステムを構成する第２のウェブページ運営管理サーバの構成を模式的に示すブロック図である。
【図４】第１のウェブページ運営管理工程についての説明に供するフローチャートである。
【図５】第２のウェブページ運営管理工程についての説明に供するフローチャートである。
【符号の説明】
【００５８】
１  サーバシステム
２  ネットワーク
３  サーバ
４ａ〜４ｎ  端末
３１  第１のウェブページ運営管理サーバ
３２  第２のウェブページ運営管理サーバ
３１４  第１のトップページ作成部（第１のトップページ作成手段）
３１５  第１の運営管理部（第１の運営管理手段）
３１６  第１の配信部（第１の配信手段）
３１７  第１のウェブページ登録部（第１のウェブページ登録手段）
３２１  登録手続き部（登録手続き手段）
３２２  ウェブページ作成支援部（ウェブページ作成支援手段）
３２３  登録部（登録手段）
３２４  第２のトップページ作成部（第２のトップページ作成手段）
３２５  第２の運営管理部（第２の運営管理手段）
３２６  第２の配信部（第２の配信手段）
３２７  第２のウェブページ登録部（第２のウェブページ登録手段）
【図１】
2009176252.tif 000003
【図２】
2009176252.tif 000004
【図３】
2009176252.tif 000005
【図４】
2009176252.tif 000006
【図５】
2009176252.tif 000007